(57)【要約】【課題】構成部品の点数を削減する。【解決手段】ウェビング巻取装置は、スプールと、車両の緊急時に回転が規制されることでスプールの引出方向への回転が制限されるロックギヤと、を備えている。また、ウェビング巻取装置は、ロックギヤに対するスプールの引出方向への回転が制限されている際に、スプールのフォースリミッタ荷重以上での引出方向への回転を許容するフォースリミッタ機構を備えている。さらに、ウェビング巻取装置は、回転が規制された状態と回転可能とされた状態とが切替えられることでフォースリミッタ荷重の荷重値が切替えられるロックリング１９０を備えている。また、ウェビング巻取装置は、ロックリング１９０が回転可能に配置される第２収容部１２５と、ロックリング１９０に係合されることで第２収容部１２５に配置されたロックリング１９０の変位を規制するロックリング係合爪１３９と、を有するボディ１２２を備えている。【選択図】図６
2018020603.tif 000002
【特許請求の範囲】
【請求項１】
乗員に装着されるウェビングが巻取られ、前記ウェビングが引出されることで引出方向へ回転されるスプールと、
車両の緊急時に回転が規制されることで前記スプールの引出方向への回転が制限されるロック部と、
前記ロック部に対する前記スプールの引出方向への回転が制限されている際に、前記スプールのフォースリミッタ荷重以上での引出方向への回転を許容するフォースリミッタ機構と、
回転が規制された状態と回転可能とされた状態とが切替えられることで前記フォースリミッタ荷重の荷重値が切替えられる切替部材と、
前記切替部材が配置される切替部材配置部と、前記切替部材に係合されることで前記切替部材配置部に配置された前記切替部材の変位を規制する規制部と、を有する配置部材と、
を備えたウェビング巻取装置。
【請求項２】
前記規制部が、前記切替部材と離間する方向へ弾性変形されることで生じた復元力によって前記切替部材側を付勢する請求項１記載のウェビング巻取装置。
【請求項３】
前記規制部には、回転された前記切替部材の一部に押圧されることで前記規制部が前記切替部材と離間する方向へ変形される被押圧部が設けられている請求項１又は請求項２記載のウェビング巻取装置。
【発明の詳細な説明】
【技術分野】
【０００１】
本発明は、ウェビング巻取装置に関する。
【背景技術】
【０００２】
下記特許文献１には、車両の緊急時に、スプールがフォースリミッタ荷重以上で引出方向へ回転されることが可能とされたウェビング巻取装置が開示されている。この文献に記載されたウェビング巻取装置では、ロックリングの回転が規制された状態と許容された状態とが切替えられることで、フォースリミッタ荷重が切替えられるようになっている。
【０００３】
ところで、フォースリミッタ荷重を切替えることが可能とされたウェビング巻取装置では、構成部品の点数の削減が望まれている。
【先行技術文献】
【特許文献】
【０００４】
【特許文献１】特開２０１３−２１６１６０号公報
【発明の概要】
【発明が解決しようとする課題】
【０００５】
本発明は上記事実を考慮し、構成部品の点数を削減することができるウェビング巻取装置を得ることが目的である。
【課題を解決するための手段】
【０００６】
請求項１記載のウェビング巻取装置は、乗員に装着されるウェビングが巻取られ、前記ウェビングが引出されることで引出方向へ回転されるスプールと、車両の緊急時に回転が規制されることで前記スプールの引出方向への回転が制限されるロック部と、前記ロック部に対する前記スプールの引出方向への回転が制限されている際に、前記スプールのフォースリミッタ荷重以上での引出方向への回転を許容するフォースリミッタ機構と、回転が規制された状態と回転可能とされた状態とが切替えられることで前記フォースリミッタ荷重の荷重値が切替えられる切替部材と、前記切替部材が配置される切替部材配置部と、前記切替部材に係合されることで前記切替部材配置部に配置された前記切替部材の変位を規制する規制部と、を有する配置部材と、を備えている。
【０００７】
請求項２記載のウェビング巻取装置は、請求項１記載のウェビング巻取装置において、前記規制部が、前記切替部材と離間する方向へ弾性変形されることで生じた復元力によって前記切替部材側を付勢する。
【０００８】
請求項３記載のウェビング巻取装置は、請求項１又は請求項２記載のウェビング巻取装置において、前記規制部には、回転された前記切替部材の一部に押圧されることで前記規制部が前記切替部材と離間する方向へ変形される被押圧部が設けられている。
【発明の効果】
【０００９】
請求項１記載のウェビング巻取装置によれば、ウェビングがスプールから引出されることで、スプールが引出方向へ回転される。また、車両の緊急時にロック部の回転が規制されると、スプールの引出方向への回転が制限されて、ウェビングのスプールからの引出が制限される。さらに、フォースリミッタ機構へ作用する荷重がフォースリミッタ荷重以上となると、スプールの引出方向への回転が許容されて、ウェビングのスプールからの引出が許容される。ここで、請求項１記載の発明では、切替部材が配置部材の切替部材配置部に配置されている。そして、切替部材の回転が規制された状態と回転可能とされた状態とが切替えられることで上記フォースリミッタ荷重の荷重値を切替えることができる。また、請求項１記載の発明では、切替部材に係合されることで切替部材配置部に配置された切替部材の変位を規制する規制部が配置部材に設けられている。このように、請求項１記載の発明では、切替部材の変位を規制する部材を配置部材とは別に設けることが不要となり、ウェビング巻取装置を構成する部品の点数を削減することができる。
【００１０】
請求項２記載のウェビング巻取装置によれば、弾性変形された規制部に作用する復元力により、当該規制部を切替部材側へ付勢することができる。これにより、切替部材が切替部材配置部内で変位することによる異音の発生を抑制することができる。
【００１１】
請求項３記載のウェビング巻取装置によれば、規制部の被押圧部が、回転された切替部材の一部に押圧されると、規制部が、切替部材と離間する方向へ変形される。これにより、切替部材の回転が、規制部によって妨げられることを抑制することができる。
【図面の簡単な説明】
【００１２】
【図１】本実施形態に係るウェビング巻取装置の主要部の構成を示す分解斜視図である。
【図２】図１に示されたウェビング巻取装置のクラッチ機構の構成を示す分解斜視図である。
【図３】図１に示されたウェビング巻取装置のクラッチ機構をスプールとは反対側から見た分解斜視図である。
【図４】図２及び図３に示されたウェビング巻取装置のクラッチ機構をスプールとは反対側から見た正面図である。
【図５】（Ａ）は、図４に示されたクラッチ機構のクラッチプレートがロックリング側へ回動し始めた状態を示す図であり、（Ｂ）は、クラッチプレートがロックリングに噛合った状態を示す図である。
【図６】図１に示されたウェビング巻取装置のフォースリミッタ荷重切替機構を示す分解斜視図である。
【図７】図６に示されたフォースリミッタ荷重切替機構の組立完了時の状態を示す斜視図である。
【図８】（Ａ）（Ｂ）（Ｃ）及び（Ｄ）は、ボディに設けられたロックリング係合爪を各方向から見た拡大図である。
【図９】（Ａ）は回転される前のロックリングに係合されたロックリング係合爪等を示す拡大図であり、（Ｂ）及び（Ｃ）は（Ａ）に示された矢印９Ｂ及び矢印９Ｃで示された方向から見たロックリング係合爪等をそれぞれ示す拡大図である。
【図１０】（Ａ）はロックリングが回転されることで当該ロックリングの切欠部内に配置されたロックリング係合爪等を示す拡大図であり、（Ｂ）及び（Ｃ）は（Ａ）に示された矢印１０Ｂ及び矢印１０Ｃで示された方向から見たロックリング係合爪等をそれぞれ示す拡大図である。
【図１１】（Ａ）は図１０（Ａ）に示された状態からロックリングがさらに回転された際のロックリング係合爪等を示す拡大図であり、（Ｂ）及び（Ｃ）は（Ａ）に示された矢印１１Ｂ及び矢印１１Ｃで示された方向から見たロックリング係合爪等をそれぞれ示す拡大図である。
【発明を実施するための形態】
【００１３】
図１〜図９を用いて、本発明の実施形態に係るウェビング巻取装置について説明する。
【００１４】
図１に示されるように、本発明の実施形態に係るウェビング巻取装置１０は、フレーム１２と、スプール２０と、ウェビング２２と、ロック部としてのロックギヤ２４と、フォースリミッタ機構３１を構成するメイントーションシャフト３２、トリガワイヤ４０、サブトーションシャフト４４及びクラッチ機構５２と、を備えている。また、図６に示されるように、ウェビング巻取装置１０は、フォースリミッタ荷重切替機構１２０を備えている。以下、先ずフレーム１２について説明し、次いでスプール２０、ウェビング２２、ロックギヤ２４、メイントーションシャフト３２、トリガワイヤ４０、サブトーションシャフト４４、クラッチ機構５２及びフォースリミッタ荷重切替機構１２０についてこの順で説明する。
【００１５】
図１に示されるように、フレーム１２は、平面視で略凹形状に形成されていると共に、車体に固定される板状の背板１４を備えている。また、背板１４の幅方向両端部からは脚片１６，１８が略直角に延出されている。なお、脚片１８の外側には、周知のロック機構（図示省略）が取付けられている。
【００１６】
スプール２０は、軸方向に貫通する貫通孔２１を有する円筒状に形成されており、フレーム１２の脚片１６と脚片１８との間に配置されている。スプール２０は、軸線方向が脚片１６と脚片１８との対向方向に沿う状態で配置されており、後述するメイントーションシャフト３２、サブトーションシャフト４４等を介してフレーム１２に回転可能に支持されている。
【００１７】
ウェビング２２は、乗員の身体に装着されるものであり、その長手方向一端部である基端部がスプール２０に係止されている。スプール２０は、一方の回転方向である巻取方向（図１等の矢印Ａの方向）へ回転することでウェビング２２を基端側から巻取って収納する構成となっている。
【００１８】
ロックギヤ２４は、スプール２０の軸方向一方側にスプール２０と同軸上に配置されている。このロックギヤ２４の外周部にはギヤ部２６が形成されている。また、このロックギヤ２４の軸心部には、軸方向に貫通する貫通孔２８が形成されており、当該貫通孔２８の内周部には、スプライン状の被係合部３０が形成されている。
【００１９】
ロックギヤ２４は、車両の急減速時及びスプール２０が急激に引出方向へ回転した際に、ロック部材（図示省略）と係合する。その結果、ロックギヤ２４の引出方向（図１等の矢印Ｂの方向）への回転が規制（ロック）され、スプール２０の引出方向への回転が規制される。
【００２０】
メイントーションシャフト３２は、スプール２０及びロックギヤ２４と同軸上に配置されていると共に、スプール２０の貫通孔２１及びロックギヤ２４の貫通孔２８にそれぞれ挿入されている。このメイントーションシャフト３２には、その長手方向中央部にスプライン状の第一係合部３４が形成されると共に、その先端部に同じくスプライン状の第二係合部３６が形成されている。そして、この第一係合部３４がロックギヤ２４の被係合部３０と係合されることにより、メイントーションシャフト３２は、ロックギヤ２４に一体回転可能に固定されている。また、第二係合部３６が、スプール２０の内周部における軸線方向中間部に形成された図示しない被係合部と係合されることにより、メイントーションシャフト３２がスプール２０に一体回転可能に固定されている。このメイントーションシャフト３２における第一係合部３４と第二係合部３６との間の部分は、後述する如くウェビング２２の引張りに供される乗員の運動エネルギを吸収するための第一エネルギ吸収部３８として構成されている。
【００２１】
トリガワイヤ４０の基端部４０Ａは、ロックギヤ２４における貫通孔２８よりも径方向外側の位置に形成された孔部２９に挿入されて、ロックギヤ２４に係止されている。一方、トリガワイヤ４０における基端部４０Ａよりも先端側は、貫通孔２１と並行してスプール２０に形成された孔部４２に挿入されており、その先端部４０Ｂは、スプール２０から軸方向他方側に突出されている。
【００２２】
サブトーションシャフト４４は、メイントーションシャフト３２と同軸上に配置されており、その長手方向中央部よりも基端側は、スプール２０の貫通孔２１に挿入されている。一方、このサブトーションシャフト４４の長手方向中央部よりも先端側は、スプール２０から軸方向他方側に突出されている。このサブトーションシャフト４４には、その基端部に少なくとも一部がスプライン状の第一係合部４６が形成されると共に、その先端部には、同じくスプライン状の第二係合部４８が形成されている。また、第一係合部４６は、スプール２０の内周部における軸線方向中間部に形成された図示しない被係合部と係合されており、これにより、サブトーションシャフト４４は、スプール２０に一体回転可能に固定されている。さらに、このサブトーションシャフト４４における第一係合部４６と第二係合部４８との間の部分は、後述する如くウェビング２２の引張りに供される乗員の運動エネルギを吸収するための第二エネルギ吸収部５０として構成されている。
【００２３】
図２及び図３に示されるように、クラッチ機構５２は、スリーブ５４と、クラッチガイド６４と、クラッチベース８２と、クラッチカバー８８と、一対のクラッチプレート１００と、スクリュー１０８と、一対のコイルスプリング９８とを備えている。なお、図５（Ａ）には、このクラッチ機構５２の作動途中の状態が示されており、図５（Ｂ）には、このクラッチ機構５２の作動が完了した状態が示されている。
【００２４】
図３に示されるように、スリーブ５４は、サブトーションシャフト４４と同軸上に配置されている。このスリーブ５４の軸心部には、軸方向に貫通する貫通孔５６が形成されており、この貫通孔５６には、上述のサブトーションシャフト４４が遊挿されている。また図２に示されるように、このスリーブ５４の内周部における先端側には、スプライン状の被係合部５８が形成されている。そして、この被係合部５８にサブトーションシャフト４４の第二係合部４８（図３参照）が係合されることにより、スリーブ５４は、サブトーションシャフト４４に一体回転可能に固定されている。また、このスリーブ５４における基端側は、円形状の外形を有する支持部６０とされており、このスリーブ５４における支持部６０よりも先端側は、六角形状の外形を有する嵌合部６２とされている。
【００２５】
クラッチガイド６４は、樹脂製とされており、軸方向に貫通する貫通孔６６を有する環状に形成されている。この貫通孔６６には、上述の支持部６０が挿入されており、これにより、クラッチガイド６４は、スリーブ５４に相対回転可能に支持されている。このクラッチガイド６４における周方向の二箇所の位置には、コイルスプリング９８を収容する一対のコイルスプリング収容部６８が形成されている。これらのコイルスプリング収容部６８は、クラッチガイド６４の中央部を中心とする点対称状に配置されており、それぞれ、クラッチガイド６４の周方向に延びる外側壁部７０及び内側壁部７２と、クラッチガイド６４の径方向に延びて外側壁部７０と内側壁部７２の各端部を連結する連結壁部７４とを有する略Ｊ字形状に形成されている。また、外側壁部７０には、周方向を長手方向とする長孔状のガイド孔７０Ａが形成されている。
【００２６】
また、このクラッチガイド６４には、クラッチプレート１００を収容する一対のクラッチプレート収容部７６が各コイルスプリング収容部６８に隣接して形成されている。これらのクラッチプレート収容部７６には、連結壁部７４から内側壁部７２と反対側に向けて延びる第一支持壁部７８と、連結壁部７４に対する外側壁部７０とは反対側に連結壁部７４と離間して第二支持壁部８０と、が立設されている。
【００２７】
クラッチベース８２は、環状の被嵌合部８４を有して構成されている。この被嵌合部８４の内側には、スリーブ５４の嵌合部６２が嵌合（圧入）されており、これにより、クラッチベース８２は、スリーブ５４に一体回転可能に固定されている。なお、他の実施形態では、スリーブ５４とクラッチベース８２を一体に形成してもよい。また、このクラッチベース８２には、被嵌合部８４から外側に突出する一対の係止部８６が形成されている。これらの係止部８６は、後述するクラッチプレート１００に形成されたアーム部１０２の基端部と係止されている。
【００２８】
クラッチカバー８８は、スリーブ５４と同軸上に配置されると共に、クラッチガイド６４に対してスプール２０とは反対側に配置され、かつクラッチガイド６４と対向して配置されている。このクラッチカバー８８は、軸方向に貫通する貫通孔９０を有する環状に形成されており、その内周部には、径方向内側に突出する嵌合爪９２が複数形成されている。そして、貫通孔９０にスリーブ５４の嵌合部６２が挿入されると共に、複数の嵌合爪９２が嵌合部６２と嵌合されることにより、クラッチカバー８８は、スリーブ５４、ひいては、サブトーションシャフト４４に一体回転可能に固定されている。
【００２９】
また、このクラッチカバー８８における周方向の二箇所の位置には、一対のスプリング係止爪部９４が設けられており、これら一対のスプリング係止爪部９４は、クラッチカバー８８の中央部を中心とする点対称状に配置されている。そして、これら一対のスプリング係止爪部９４には、クラッチガイド６４のコイルスプリング収容部６８に配置されたコイルスプリング９８の一端部がそれぞれ係止されている。また、一方のスプリング係止爪部９４の外周部には、ガイド爪部９６が設けられている。そして、このガイド爪部９６が、クラッチガイド６４に設けられたガイド孔７０Ａ内に配置されると共に当該ガイド孔７０Ａに沿って移動されることにより、クラッチガイド６４が、クラッチカバー８８に対して、図５（Ｂ）に示される作動位置と、図４に示される非作動位置との間で相対回転可能とされている。
【００３０】
図２に示されるように、クラッチプレート１００は、クラッチカバー８８とクラッチガイド６４との間に配置されている。このクラッチプレート１００は、アーム部１０２と、このアーム部１０２の先端部に形成された円弧部１０４とを有している。アーム部１０２の基端部には、クラッチカバー８８側に突出すると共にサブトーションシャフト４４の軸方向に沿って延びる回動軸１０６が形成されている。そして、この回動軸１０６がクラッチカバー８８に形成された孔部８９に挿入されることにより、クラッチプレート１００は、クラッチカバー８８に回動可能に支持されている。また、円弧部１０４の外周部（クラッチプレート１００の先端部）には、平歯状のローレット歯１０４Ａが形成されている。
【００３１】
図３に示されるように、スクリュー１０８は、ネジ部１１０と、このネジ部１１０よりも大径の押え部１１２とを有して構成されている。ネジ部１１０は、サブトーションシャフト４４の先端部に形成されたネジ孔４５（図１参照）に螺合されており、これにより、スクリュー１０８は、サブトーションシャフト４４の先端部に固定されている。また、このように、スクリュー１０８がサブトーションシャフト４４の先端部に固定された状態では、スリーブ５４の先端部に押え部１１２が当接される。そして、これにより、スリーブ５４のサブトーションシャフト４４に対する抜き方向への移動が制限されている。なお、この状態では、クラッチガイド６４は、クラッチカバー８８とスプール２０とによって軸方向の移動を制限されている。
【００３２】
また、図２及び図３に示されるように、上述のクラッチガイド６４及びクラッチカバー８８には、孔部６５，９１がそれぞれ形成されている。これらの孔部６５，９１は、クラッチガイド６４がクラッチカバー８８に対して非作動位置に配置された状態で互いに対向するように形成されており、これらの孔部６５，９１には、トリガワイヤ４０の先端部４０Ｂ（図１参照）がそれぞれ挿入されている。これにより、クラッチガイド６４は、非作動位置に配置された状態でスプール２０及びクラッチカバー８８に対する相対回転を制限されている（クラッチガイド６４が非作動位置に拘束されている）。
【００３３】
またさらに、上述の如くクラッチガイド６４が非作動位置に拘束された状態では、コイルスプリング９８が、クラッチガイド６４のコイルスプリング収容部６８（連結壁部７４）とクラッチカバー８８のスプリング係止爪部９４との間で圧縮されている。
【００３４】
一方、この状態では、クラッチカバー８８の孔部８９（クラッチプレート１００の回動軸１０６）と連結壁部７４との間隔が十分に確保された状態となり、クラッチプレート１００は、ローレット歯１０４Ａがクラッチガイド６４の外周部よりも内側に納まるように、クラッチプレート収容部７６に収容される。また、この状態では、円弧部１０４の先端に連結壁部７４が当接されている。
【００３５】
図６及び図７に示されるように、フォースリミッタ荷重切替機構１２０は、箱状に形成された配置部材としてのボディ１２２と、ガス発生装置としてのガスジェネレータ１９４と、このガスジェネレータ１９４によって発生したガスの圧力を受けて作動するピストン部１６０と、ピストン部１６０の一部を内部に収容するシリンダ部２０４と、を備えている。また、フォースリミッタ荷重切替機構１２０は、ピストン部１６０に押圧されることで変位される切替部材としてのパウル１５０と、このパウル１５０によって回転が規制され又はこの規制が解除される切替部材としてのロックリング１９０と、を備えている。
【００３６】
ボディ１２２は、樹脂材料を用いて形成されていると共に、フレーム１２の脚片１６側（図１参照）へ開口するように形成されている。具体的には、ボディ１２２は、後述するパウル１５０、ピストン部１６０の一部が収容される第１収容部１２４と、ロックリング１９０が回転可能に収容される切替部材配置部としての第２収容部１２５と、を備えている。
【００３７】
第１収容部１２４には、ピストン部１６０を移動可能に収容する収容溝１３０がフレーム１２の脚片１６側（図１参照）へ開口するように形成されている。さらに、第１収容部１２４には、パウル１５０が収容されると共に、上記の収容溝１３０と接続された凹部１３２がフレーム１２の脚片１６側（図１参照）へ開口するように形成されている。また、凹部１３２には、パウル１５０の軸部１５２を回転可能に支持する軸支部１３２Ａが立設置されていると共にパウル１５０の支持部１３２Ａ回りの回転を規制するシェアピン１３２Ｂが立設されている。
【００３８】
第２収容部１２５には、ロックリング１９０が収容される凹部１３８がフレーム１２の脚片１６側（図１参照）へ開口するように形成されている。また、この凹部１３８には、スプール２０（図１参照）の軸芯と同芯となる円形の開口１４０が形成されおり、この開口１４０の縁部には、ロックリング１９０側へ向けて突出すると共に当該ロックリング１９０の回転軸方向他方側（脚片１６（図１参照）側とは反対側）の面１９０Ｃに当接する突起部１４３（図９（Ｃ）も参照）が形成されている。また、第２収容部１２５には、凹部１３８内に配置されたロックリング１９０に係合することで当該ロックリング１９０の脚片１６側への移動を規制する規制部としての３つのロックリング係合爪１３９が設けられている。
【００３９】
以上説明したボディ１２２は、脚片１６外側（図１参照）に固定されている。
【００４０】
ガスジェネレータ１９４は、略円柱状に形成されていると共に、一端部はガスが噴出するガス噴出部１９４Ａとされていると共に、他端部は配線が接続される配線接続部１９４Ｂとされている。このガスジェネレータ１９４は、ガス噴出部１９４Ａ側から後述するシリンダ部２０４の第２筒状部２０４Ｂに挿入されると共に、固定部材１９５を用いてシリンダ部２０４に固定されている。
【００４１】
パウル１５０は、金属製の材料を用いてブロック状に形成されていると共に、断面略円形状の軸部１５２と、この軸部１５２の径方向外側へ延出するように形成されたアーム部１５４及び係合部１５６と、を備えている。また、軸部１５２は、ボディ１２２の第１収容部１２４に設けられた軸支部１３２Ａに回転可能に支持されている。また、パウル１５０には、断面円形状の係止孔１５８が形成されている。そして、ボディ１２２の第１収容部１２４に設けられたシェアピン１３２Ｂが係止孔１５８に挿入されることで、パウル１５０の支持部１３２Ａ回りの回転が規制されるようになっている。また、シェアピン１３２Ｂが係止孔１５８に挿入された状態では、係合部１５６が後述するロックリング１９０の切欠部１９２に係合している。なお、この状態のパウル１５０の位置を「ロック位置」というものとする。また、パウル１５０がロック位置に位置している状態では、アーム部１５４が後述するピストン部１６０の押圧部１６０Ｃと近接して配置されるようになっている。
【００４２】
図４に示されるように、ロックリング１９０は、金属製の材料を用いて略環状に形成されており、このロックリング１９０は、クラッチ機構５２の外周側において、クラッチ機構５２と同軸上に配置されている。また、図６に示されるように、ロックリング１９０の内周部には、平歯状のローレット歯１９０Ａが形成されている。さらに、ロックリング１９０の外周部には、断面略三角形状の切欠部１９２が形成されており、この切欠部１９２はロックリング１９０の径方向外側へ開口されている。以上説明したロックリング１９０は、ボディ１２２の第２収容部１２５に形成された凹部１３８に収容された状態で、当該ボディ１２２に対して回転可能に支持されている。
【００４３】
図６に示されるように、ピストン部１６０は、樹脂材料を用いて形成されており、このピストン部１６０の基端側は、略円柱状に形成されていると共に後述するシリンダ部２０４の第１筒状部２０４Ａに挿入される挿入部１６０Ａとされている。また、挿入部１６０Ａの軸方向の中間部の外周部には、その周方向に沿って凹溝としてのＯリング取付溝１６０Ｂが形成されている。そして、ゴム等の粘弾性を有する材料を用いて形成されたＯリング２０８が、Ｏリング取付溝１６０Ｂに係合されることで、Ｏリング２０８が、ピストン部１６０に取付けられている。
【００４４】
また、挿入部１６０Ａにおいて後述する押圧部１６０Ｃが設けられた側とは反対側の端部は、すなわち、挿入部１６０ＡにおいてＯリング取付溝１６０Ｂが形成された部位よりも基端側の部位は、押圧部１６０Ｃとは反対側に向かうにつれて次第に窄まるように形成された窄み部１６０Ｄとされている。また、窄み部１６０Ｄには、縁部が略Ｖ字状とされた４つのＶ字溝１６０Ｅが形成されており、このＶ字溝１６０Ｅの一端部は、Ｏリング取付溝１６０Ｂに接続されている。
【００４５】
また、ピストン部１６０の先端側には、パウル１５０のアーム部１５４（図６参照）を押圧する押圧部１６０Ｃが設けられている。さらに、ピストン部１６０の先端側には、ボディ１２２の第１収容部１２４に設けられた収容溝１３０（図６参照）内に配置されると共に当該収容溝１３０に沿って移動するガイドブロック部１６０Ｇが押圧部１６０Ｃと隣合って設けられている。
【００４６】
シリンダ部２０４は、金属製の材料を用いて形成されている。具体的には、シリンダ部２０４は、筒状に形成されていると共に前述のピストン部１６０の挿入部１６０Ａが挿入される第１筒状部と、当該第１筒状部に連通されていると共に内部にガスジェネレータ１９４のガスが供給される第２筒状部２０４Ｂと、を備えている。第１筒状部の内周面は、前述のＯリング２０８の形状に対応して円筒面状に形成されている。第２筒状部２０４Ｂにおける第１筒状部とは反対側の端部は、ガスジェネレータ１９４が係合される被係合部２０４Ｆとされている。
【００４７】
また、シリンダ部２０４は、舌片状に形成された固定フランジ部２０４Ｈを備えている。そして、このフランジ部２０４Ｈがボディ１２２に固定されることで、シリンダ部２０４がボディ１２２に取付けられるようになっている。
【００４８】
次に、本実施形態の要部であるボディ１２２に設けられたロックリング係合爪１３９の細部の構成について説明する。なお、以下の説明において軸方向、径方向、周方向を用いる場合は、ロックリング１９０の回転軸方向、回転周方向、回転径方向を示すものとする。なお、ロックリング１９０の回転軸方向、回転周方向、回転径方向は、スプール２０の回転軸方向、回転周方向、回転径方向と一致している。
【００４９】
図６及び図８に示されるように、ロックリング係合爪１３９は、ボディ１２２と一体に形成されている。図９（Ｃ）に示されるように、ロックリング係合爪１３９は、ボディ１２２に設けられた図示しないロックリング係合歯支持部から径方向内側に向けて延びる第１延在部１３９Ａと、第１延在部１３９Ａの径方向内側の端部から軸方向一方側（脚片１６（図１参照）側）へ向けて延びる第２延在部１３９Ｂと、を備えている。第２延在部１３９Ｂは、ボディ１２２に形成された開口１４５に挿通されており、これにより、第２延在部１３９Ｂにおける第１延在部１３９Ａとは反対側の部分が、ボディ１２２においてロックリング１９０が配置される側（第２収容部１２５側）へ突出されている。
【００５０】
また、ロックリング係合爪１３９は、第２延在部１３９Ｂの軸方向一方側の端部から径方向内側に向かうにつれて軸方向他方側へ傾斜して延びる第３延在部１３９Ｃと、第３延在部１３９Ｃの径方向内側の端部から軸方向他方側へ向けて突出する先端部１３９Ｄと、を備えている。そして、この先端部１３９Ｄが、ロックリング１９０の軸方向一方側の面１９０Ｂに当接して、当該ロックリング１９０が先端部１３９Ｄと突起部１４３との間に挟込まれることで、ロックリング１９０の軸方向への移動が規制されている。ここで、本実施形態では、ロックリング係合爪１３９の第１延在部１３９Ａ、第２延在部１３９Ｂ及び第３延在部１３９Ｃが撓み変形（弾性変形）可能とされている。これにより、ロックリング係合爪１３９の先端部１３９Ｄが、ロックリング１９０と離間する方向へ変位可能となっている。また、ロックリング係合爪１３９の第１延在部１３９Ａ、第２延在部１３９Ｂ及び第３延在部１３９Ｃが撓み変形することによって生じる復元力によって、当該ロックリング係合爪１３９の先端部１３９Ｄがロックリング１９０の軸方向一方側の面１９０Ｂを付勢している。
【００５１】
図８（Ａ）〜（Ｄ）に示されるように、第３延在部１３９Ｃの周方向他方側（矢印Ａ方向側）の端面は、軸方向一方側から見て径方向内側に向かうにつれて周方向一方側（矢印Ｂ方向側）へ傾斜された被押圧部としての第１被押圧面１３９Ｅとされている。また、先端部１３９Ｄの周方向他方側（矢印Ａ方向側）の端面は、径方向内側から見て軸方向他方側に向かうにつれて周方向一方側（矢印Ｂ方向側）へ傾斜された被押圧部としての第２被押圧面１３９Ｆとされている。
【００５２】
（本実施形態の作用並びに効果）
次に、本実施形態の作用並びに効果について説明する。
【００５３】
図１に示されるように、本実施形態に係るウェビング巻取装置１０では、スプール２０、ロックギヤ２４、メイントーションシャフト３２、サブトーションシャフト４４、及びクラッチ機構５２（スリーブ５４、クラッチベース８２、クラッチプレート１００及びスクリュー１０８を含む）が一体に巻取方向及び引出方向へ回転可能に構成されている。そのため、ウェビング２２がスプール２０から引出されることで、ウェビング２２が車両の乗員の身体に装着されるようになっている。また、ウェビング２２が車両の乗員の身体に装着された状態で、例えば、車両が急減速状態になり、ロック機構が作動すると、ロックギヤ２４の引出方向への回転が阻止される。その結果、このロックギヤ２４にメイントーションシャフト３２を介して連結されたスプール２０の引出方向への回転が制限されて、スプール２０からのウェビング２２の引出しが制限される。したがって、車両前方へ移動しようとする乗員の身体がウェビング２２によって拘束される。
【００５４】
また、ロックギヤ２４の引出方向への回転が阻止された状態で、更に大きな力で乗員の身体がウェビング２２を引張り、この引張力に基づく引出方向へのスプール２０の回転力がメイントーションシャフト３２の第一エネルギ吸収部３８の耐捩れ荷重（耐変形荷重）を上回ると、フォースリミッタ機構３１が作動されて、第一エネルギ吸収部３８の捩れ（変形）により、スプール２０のフォースリミッタ荷重（第一エネルギ吸収部３８の耐捩れ荷重）以上での引出方向への回転が許容される。
【００５５】
したがって、第一エネルギ吸収部３８の捩れによりスプール２０が引出方向へ回転されてスプール２０からウェビング２２が引出されることで、ウェビング２２による乗員の胸部への負荷（負担）が軽減される。また第一エネルギ吸収部３８の捩れ分だけウェビング２２の引張りに供される乗員の運動エネルギが吸収される。
【００５６】
一方、上述のように、ロックギヤ２４に対してスプール２０が引出方向に回転されるということは、ロックギヤ２４がスプール２０に対して相対的に巻取方向へ回転されると言うことである。したがって、ロックギヤ２４がスプール２０に対して巻取方向へ相対回転されると、トリガワイヤ４０における基端部４０Ａよりも先端側がスプール２０の孔部４２に挿入されたまま、このトリガワイヤ４０の基端部４０Ａがメイントーションシャフト３２の周方向に移動されるので、このトリガワイヤ４０における基端部４０Ａよりも先端側が孔部４２に対してロックギヤ２４側に引張られる。
【００５７】
これにより、トリガワイヤ４０の先端部４０Ｂがクラッチガイド６４の孔部６５とクラッチカバー８８の孔部９１から引抜かれて、スプール２０及びクラッチカバー８８に対するクラッチガイド６４の相対回転の阻止状態が解消される。
【００５８】
そして、コイルスプリング９８の付勢力により、クラッチガイド６４が非作動位置から作動位置へと回転されると、クラッチカバー８８の孔部８９（クラッチプレート１００の回動軸１０６）とクラッチガイド６４の連結壁部７４との間隔が短くなり、クラッチプレート１００の円弧部１０４の先端が連結壁部７４によってクラッチガイド６４の接線方向に押圧（案内）される。これにより、クラッチプレート１００がロックリング１９０側へ回動され（図５（Ａ)の矢印Ｒ参照）、クラッチプレート１００のローレット歯１０４Ａがロックリング１９０のローレット歯１９０Ａと噛合う（図５（Ｂ）図示状態）。これにより、クラッチプレート１００とロックリング１９０とが結合される。また、このときには、クラッチベース８２に形成された係止部８６がクラッチプレート１００のアーム部１０２の基端部を引出方向へ押すことにより、クラッチプレート１００がロックリング１９０に押付けられ、両者の結合状態が維持される。これにより、クラッチ機構５２（スリーブ５４、クラッチベース８２及びクラッチプレート１００）の引出方向への回転と一体に、ロックリング１９０が引出方向へ回転しようとする。
【００５９】
また、図示しない制御装置は、体格検出手段からの信号に基づいて、乗員の体格が予め定められた基準値以上であるか否かを判定すると共に、衝突検出手段からの信号に基づいて、車両が衝突したか否かを判定している。そして、制御装置が、乗員の体格が予め定められた基準値以上であると判定した場合では、図６及び図７に示されたガスジェネレータ１９４が作動されないため、パウル１５０の係合部１５６が、ロック位置に配置されて、ロックリング１９０の切欠部１９２に係合している。このため、ロックリング１９０の引出方向への回転がロック（阻止）されることで、クラッチ機構５２（スリーブ５４、クラッチベース８２及びクラッチプレート１００）の引出方向への回転が阻止される。
【００６０】
そして、図１に示されるように、スリーブ５４の引出方向への回転が阻止された状態で、更に大きな力で乗員の身体がウェビング２２を引張り、この引張力に基づく引出方向へのスプール２０の回転力がメイントーションシャフト３２の第一エネルギ吸収部３８の耐捩れ荷重（耐変形荷重）とサブトーションシャフト４４の第二エネルギ吸収部５０の耐捩れ荷重（耐変形荷重）との合計を上回ると、第一エネルギ吸収部３８及び第二エネルギ吸収部５０の捩れ（変形）により、スプール２０のフォースリミッタ荷重（第一エネルギ吸収部３８の耐捩れ荷重と第二エネルギ吸収部５０の耐捩れ荷重との合計）以上での引出方向への回転が許容される。
【００６１】
したがって、第一エネルギ吸収部３８及び第二エネルギ吸収部５０の捩れによりスプール２０が引出方向へ回転されてスプール２０からウェビング２２が引出されることで、ウェビング２２による乗員の胸部への負荷（負担）が軽減されると共に、第一エネルギ吸収部３８及び第二エネルギ吸収部５０の捩れ分だけウェビング２２の引張りに供される乗員の運動エネルギが吸収される。
【００６２】
一方、制御装置が、体格検出手段からの信号に基づいて、乗員の体格が予め定められた基準値未満であると判定すると共に、衝突検出手段の信号に基づいて、車両が衝突したと判定した場合には、制御装置の制御により図６及び図７に示されたガスジェネレータ１９４が作動される。
【００６３】
ガスジェネレータ１９４が作動されると、ガスジェネレータ１９４のガス噴出部１９４Ａから噴出したガスが、シリンダ部２０４の第２筒状部２０４Ｂ内に供給され、第２筒状部２０４Ｂ内及び当該第２筒状部２０４Ｂと連通された第１筒状部２０４Ａ内の圧力が高まる。これにより、第１筒状部２０４Ａ内に設けられたピストン部１６０が、第１筒状部２０４Ａ内に沿って移動される。そして、移動されたピストン部１６０の押圧部１６０Ｃがパウル１５０のアーム部１５４を押圧する。その結果、パウル１５０の係止孔１５８に挿通されたシェアピン１３２Ｂがせん断され、パウル１５０が軸支部１３２Ａを軸中心として回転される。そして、パウル１５０の係合部１５６とロックリング１９０の切欠部１９２との係合が外れる（この状態のパウル１５０の位置を「解除位置」という）。その結果、ロックリング１９０の引出方向への回転が許容されることで、クラッチ機構５２（スリーブ５４、クラッチベース８２及びクラッチプレート１００）及びスプール２０と共にロックリング１９０が引出方向へ回転可能にされる。このため、第二エネルギ吸収部５０に捩れは生じないため、第一エネルギ吸収部３８の捩れ（変形）により、スプール２０のフォースリミッタ荷重（第一エネルギ吸収部３８の耐捩れ荷重）以上での引出方向への回転が許容される。
【００６４】
すなわち、乗員の体格が予め定められた基準値以上である場合では、フォースリミッタ荷重が第一エネルギ吸収部３８の耐捩れ荷重と第二エネルギ吸収部５０の耐捩れ荷重との合計にされて、フォースリミッタ荷重の荷重値が高荷重にされる。一方、乗員の体格が予め定められた基準値未満であり、車両の衝突が検出された場合には、フォースリミッタ荷重が第一エネルギ吸収部３８の耐捩れ荷重にされて、フォースリミッタ荷重の荷重値が低荷重にされる。このため、乗員を体格に応じて適切に保護することができる。
【００６５】
ここで、本実施形態のウェビング巻取装置１０では、図９（Ａ）〜（Ｃ）に示されるように、ボディ１２２のロックリング係合爪１３９の先端部１３９Ｄが、ロックリング１９０の軸方向一方側の面１９０Ｂに当接することで、当該ロックリング１９０が、先端部１３９Ｄとボディ１２２に設けられた突起部１４３との間に挟込まれている。これにより、ロックリング１９０の軸方向への移動を規制することができる。このように、本実施形態では、ロックリング１９０の軸方向への変位を規制する部材をボディ１２２とは別に設けることが不要となり、ウェビング巻取装置１０を構成する部品の点数を削減することができる。また、本実施形態では、ロックリング係合爪１３９の第１延在部１３９Ａ、第２延在部１３９Ｂ及び第３延在部１３９Ｃが撓み変形することによって生じる復元力により、ロックリング係合爪１３９の先端部１３９Ｄがロックリング１９０側を付勢することにより、当該ロックリング１９０がボディ１２２の第２収容部１２５（凹部１３８）内で変位することによる異音の発生を抑制することができる。
【００６６】
また、ロックリング１９０が回転される際においては、当該ロックリング１９０は、ボディ１２２に設けられたロックリング係合爪１３９の先端部１３９Ｄ及びボディ１２２に設けられた突起部１４３と摺動する。このように、ロックリング１９０が摺動する部分（先端部１３９Ｄ及び突起部１４３）を樹脂製とすることにより、ロックリング１９０が回転される際の摺動抵抗を低減することができる。
【００６７】
また、図１０（Ａ）〜（Ｃ）に示されるように、ロックリング１９０が回転されることにより、ロックリング１９０に形成された切欠部１９２が、ロックリング係合爪１３９と対応する部位に配置されると、ロックリング係合爪１３９の先端部１３９Ｄが、ロックリング１９０の切欠部１９２内に配置される。そして、ロックリング１９０がさらに回転されると、当該ロックリング１９０の切欠部１９２の縁部１９２Ａが、ロックリング係合爪１３９の先端部１３９Ｄの第２被押圧面１３９Ｆを周方向一方側（矢印Ｂ方向側）へ向けて押圧する。ここで、第２被押圧面１３９Ｆは、径方向内側から見て軸方向他方側に向かうにつれて周方向一方側（矢印Ｂ方向）へ傾斜されている。そのため、ロックリング１９０の切欠部１９２の縁部１９２Ａが、ロックリング係合爪１３９の先端部１３９Ｄの第２被押圧面１３９Ｆを周方向一方側（矢印Ｂ方向側）へ向けて押圧すると、ロックリング係合爪１３９の先端部１３９Ｄが軸方向一方側へ向けて移動される（矢印Ｈ１方向側へ向けて移動される）。これにより、ロックリング係合爪１３９の先端部１３９Ｄがロックリング１９０の切欠部１９２内から排出されて、ロックリング１９０の回転がロックリング係合爪１３９によって妨げられることを抑制することができる。
【００６８】
また、図１１（Ａ）〜（Ｃ）に示されるように、先端部１３９Ｄがロックリング１９０の切欠部１９２内に配置されたロックリング係合爪１３９は、ロックリング１９０を軸方向他方側へ付勢していないため、当該ロックリング係合爪１３９と対応する部分においては、ロックリング１９０が軸方向一方側へ移動することが考えられる。この場合、ロックリング係合爪１３９の先端部１３９Ｄに加えて第３延在部１３９Ｃの一部がロックリング１９０の切欠部１９２内に配置されることがある。この状態で、ロックリング１９０がさらに回転されると、当該ロックリング１９０の切欠部１９２の縁部１９２Ａが、ロックリング係合爪１３９の第３延在部１３９Ｃの第１被押圧面１３９Ｅを周方向一方側（矢印Ｂ方向側）へ向けて押圧する。ここで、第１被押圧面１３９Ｅは、軸方向一方側から見て径方向内側に向かうにつれて周方向一方側（矢印Ｂ方向）へ傾斜されている。そのため、ロックリング１９０の切欠部１９２の縁部１９２Ａが、ロックリング係合爪１３９の第３延在部１３９Ｃの第１被押圧面１３９Ｅを周方向一方側（矢印Ｂ方向側）へ向けて押圧すると、ロックリング係合爪１３９の第３延在部１３９Ｃが先端部１３９Ｄと共に径方向外側へ向けて移動される（矢印Ｈ２方向側へ向けて移動される）。これにより、ロックリング係合爪１３９の第３延在部１３９Ｃ及び先端部１３９Ｄがロックリング１９０の切欠部１９２内から排出されて、ロックリング１９０の回転がロックリング係合爪１３９によって妨げられることを抑制することができる。
【００６９】
なお、本実施形態では、ロックリング係合爪１３９の第１延在部１３９Ａ、第２延在部１３９Ｂ及び第３延在部１３９Ｃが撓み変形することによって生じる復元力により、ロックリング係合爪１３９の先端部１３９Ｄがロックリング１９０を付勢した例について説明したが、本発明はこれに限定されない。ロックリング係合爪１３９の先端部１３９Ｄがロックリング１９０を付勢するか否かについては、要求される異音のレベルやロックリング係合爪１３９の先端部１３９Ｄとロックリング１９０との摩擦力等を考慮して適宜設定すればよい。
【００７０】
また、本実施形態では、ロックリング係合爪１３９の第３延在部１３９Ｃ及び先端部１３９Ｄをロックリング１９０の切欠部１９２内から排出させるための第１被押圧面１３９Ｅ及び第２被押圧面１３９Ｆを設けた例について説明したが、本発明はこれに限定されない。第１被押圧面１３９Ｅ及び第２被押圧面１３９Ｆを設けるか否かについては、ロックリング１９０の切欠部１９２の縁部１９２Ａがロックリング係合爪１３９に引掛かることによって当該ロックリング１９０に生じるフリクション等を考慮して適宜設定すればよい。また、第１被押圧面１３９Ｅ及び第２被押圧面１３９Ｆの一方のみを設けた構成としてもよい。
【００７１】
以上、本発明の一実施形態について説明したが、本発明は、上記に限定されるものでなく、その主旨を逸脱しない範囲内において上記以外にも種々変形して実施することが可能であることは勿論である。
【符号の説明】
【００７２】
１０   ウェビング巻取装置
２０   スプール
２２   ウェビング
２４   ロックギヤ（ロック部）
３１   フォースリミッタ機構
１２２ ボディ（配置部材）
１２５ 第２収容部（切替部材配置部）
１３９ ロックリング係合爪（規制部）
１３９Ｅ      第１被押圧面（被押圧部）
１３９Ｆ      第２被押圧面（被押圧部）
１９０ ロックリング（切替部材）
【図１】
2018020603.tif 000003
【図２】
2018020603.tif 000004
【図３】
2018020603.tif 000005
【図４】
2018020603.tif 000006
【図５】
2018020603.tif 000007
【図６】
2018020603.tif 000008
【図７】
2018020603.tif 000009
【図８】
2018020603.tif 000010
【図９】
2018020603.tif 000011
【図１０】
2018020603.tif 000012
【図１１】
2018020603.tif 000013